(57)【要約】【課題】一般家庭用の食器洗い機において、本体の大きさを必要以上に大きくすることなく、より多くの食器類を載置可能である、より使い勝手の良い食器洗い機を実現する。【解決手段】食器かご１８は、かご本体１９と上棚２０と中棚２１とで構成し、かご本体１９には茶碗類置き場を設けるとともに、中棚２１はかご本体１９の茶碗類置き場の上方かつ後部であって、かご本体２１と一体に設けた。【選択図】図１
2005230401.tif 000002
【特許請求の範囲】
【請求項１】
洗浄槽と、洗浄槽内に、食器類を収容する食器かごと、食器類に洗浄水を噴射する洗浄ノズルとを備え、前記食器かごは、かご本体と中棚とを備え、前記中棚は、前記かご本体の上方かつ後部であって、かつ前記かご本体と一体に設けた食器洗い機。
【請求項２】
中棚は、かご本体に軸支され、回動可能とした請求項１記載の食器洗い機。
【請求項３】
中棚は、回動の途中においても静止可能に構成した請求項２記載の食器洗い機。
【請求項４】
中棚は、主に小鉢の置き場とした請求項１〜３のいずれか１項に記載の食器洗い機。
【請求項５】
中棚の裏面に複数の突起を設け、前記突起でかご本体に載置された食器類の上部を保持可能とした請求項１〜４のいずれか１項に記載の食器洗い機。
【発明の詳細な説明】
【技術分野】
【０００１】
本発明は、洗浄ノズルより食器類に向けて洗浄水を噴射して食器類を洗浄する食器洗い機に関するものである。
【背景技術】
【０００２】
従来、この種の食器洗い機は図６に示すように構成していた。以下、その構成について説明する。図６に示すように、食器洗い機本体１は、内部に洗浄槽２を設けており、この洗浄槽２内へ給水弁３により水または湯を供給するようにしている。洗浄槽２の底部に排水孔４を設け、この排水孔４の他側部に連通したポンプ室にモータ５によって駆動される洗浄ポンプ６を取り付け、この洗浄ポンプ６により洗浄水を洗浄槽２の内部に循環するよう構成している。すなわち、この循環は、洗浄水が排水孔４から洗浄ポンプ６に吸いこまれ、洗浄ポンプ６より洗浄槽２の内底部に設けた洗浄ノズル７に供給され、この洗浄ノズル７から噴射され、食器類９を洗浄した後、再び排水孔４に戻るという経路で行われる。
【０００３】
洗浄ノズル７と洗浄槽２の底部との間には、洗浄水加熱用のヒータ８を装備している。また、洗浄ノズル７の上方には、食器類９を整然と配置でき、洗浄水を効果的に食器類９に噴射するように構成した食器かご１０を設置して効率的に洗浄を行っている。食器かご１０には複数の移動用ローラ１１を配設して、移動可能にしている。
【０００４】
また、洗浄槽２は前方に開口しており、その前面部には、枢支軸１２まわりに前方に開閉自在とした蓋１３を取り付けている。食器かご１０は移動用ローラ１１により開放した蓋１３の上部を食器洗い機本体１の前面外部へ引き出し可能になっている。排水ポンプ１４は、排水ホース１５を通して洗浄水を機外に排出するものである（例えば、特許文献１参照）。
【特許文献１】特開２００３−５１９号公報
【発明の開示】
【発明が解決しようとする課題】
【０００５】
日本の狭い台所において食器洗い機は、食器洗い機本体１の外形寸法を変えずに食器かご１０に収容する食器類９の数を増すためには、洗浄槽２内の空いている空間にいかに食器類９を入れるかが課題であった。しかしながら、従来の食器洗い機では、洗浄槽２内の空間を有効に活用して食器類９を配置収容できる食器かご１０を備えたものがなく、特に茶碗類置き場の上方空間は活用できていなかった。
【０００６】
本発明は上記従来の課題を解決するもので、洗浄槽内の空いている空間を有効活用できる食器かごを有し、より多くの食器類を収容可能として使い勝手を向上させた食器洗い機を提供することを目的としている。
【課題を解決するための手段】
【０００７】
本発明は上記目的を達成するために、洗浄槽と、洗浄槽内に、食器類を収容する食器かごと、食器類に洗浄水を噴射する洗浄ノズルとを備え、前記食器かごは、かご本体と中棚とを備え、前記中棚は、前記かご本体の上方かつ後部であって、かつ前記かご本体と一体に設けたものである。
【０００８】
これにより、洗浄槽内の空いている空間を有効活用できるようにし、より多くの食器類を収容可能として使い勝手を向上することができるとともに、かご本体と中棚が一体であるので、かご本体引き出し時に中棚も同時に引き出すことができ、作業者は中棚への食器類載置作業を容易に行うことができる。
【発明の効果】
【０００９】
本発明の食器洗い機は、かご本体と上棚に加え、中棚にも食器を載置することができるので、洗浄槽内の空間をより有効に利用でき、より多くの食器類を一度に洗浄することができる。
【発明を実施するための最良の形態】
【００１０】
第１の発明は、洗浄槽と、洗浄槽内に、食器類を収容する食器かごと、食器類に洗浄水を噴射する洗浄ノズルとを備え、前記食器かごは、かご本体と中棚とを備え、前記中棚は、前記かご本体の上方かつ後部であって、かつ前記かご本体と一体に設けたものであり、かご本体と上棚に加え、中棚にも食器を載置することができ、より多くの食器類を一度に洗浄することを実現できる食器洗い機を提供することができる。
【００１１】
第２の発明は、上記第１の発明において、中棚は、かご本体に軸支され、回動可能としたものであり、中棚の下方に位置する、かご本体の茶碗類置き場への食器類載置を、使用者は容易に行うことができる。
【００１２】
第３の発明は、上記第２の発明において、中棚は、回動の途中においても静止可能に構成したものであり、中棚の下方に位置する、かご本体の茶碗類置き場への食器類載置を、使用者はより容易に行うことができる。
【００１３】
第４の発明は、上記第１から第３の発明において、中棚は、主に小鉢の置き場としたものであり、食器類の中では比較的小型である小鉢の置き場をかご本体の上方に設けることで、より使い勝手の良い食器洗い機を実現することができる。
【００１４】
第５の発明は、上記第１から第４の発明において、中棚の裏面に複数の突起を設け、前記突起でかご本体に載置された食器類の上部を保持可能としたものであり、中棚の下方の茶碗置き場に、使用者が皿類を置きたい場合にも、皿類を転倒することなく載置することができ、より使い勝手の良い食器洗い機を提供できる。
【００１５】
以下、本発明の一実施の形態について、図面を参照しながら説明する。なお、従来例と同じ構成のものは同一符号を付して説明を省略する。また、この実施の形態によって本発明が限定されるものではない。
【００１６】
（実施の形態１）
図１から図３に示すように、洗浄槽１６は、前方に開口部を有し、この開口部を扉１７により開閉するとともに、内部に食器類９を収容する食器かご１８を配置している。食器かご１８はかご本体１９、上棚２０、中棚２１で構成されており、中棚２１はかご本体１９の背面に設けた支持部２２で軸支して前後方向に回動可能として、かご本体１９と一体に設けてある。
【００１７】
支持部２２は、図３に示すように、線材をコ字状に折り曲げて作成し、左右２本の縦条体２２ａをそれぞれかご本体１９の後部に溶接等で取着して立設してある。左右２本の縦条体２２ａの間には、補強材として複数本の横条体２２ｂを渡し架けてある。中棚２１は、通常は、その後部２１ｂがかご本体１９の支持部２２の横条体２２ｂのうちの１本に当接して略水平状態に保持されている。
【００１８】
食器かご１８は、かご本体１９と上棚２０が、洗浄槽１６の左右側壁に設けたガイドにそれぞれ支持されており、扉１７を開くと、開口部よりそれぞれ別々に外部へ引き出して食器類の出し入れができるように構成されている。中棚２１はかご本体と一体化してあるので、かご本体１９を引き出すと中棚２１も同時に引き出される。食器かご本体１９には、前後２列の茶碗類２３の置き場と、皿類２４の置き場と、スプーンや箸などの小物類２５の置き場を設け、上棚２０はコップ類２６の置き場とし、中棚２１は小鉢類２７の置き場としている。
【００１９】
かご本体１９と一体化した中棚２１の大きさとかご本体１９との位置関係について説明すると、かご本体１９への食器類９の載置の容易性を確保するという点から、中棚２１の大きさは幅寸法、奥行き寸法ともかご本体１９よりも小さくしてある。中棚２１は、幅寸法をかご本体１９の茶碗類２３の置き場の幅と同程度として、その茶碗類２３の置き場の上方かつかご本体１９の後部に配置してある。そして、皿類２４の置き場と小物類２５の置き場の上方は覆わない幅寸法および配置位置としてある。
【００２０】
中棚２１の奥行き寸法は、かご本体１９への食器類９の載置の容易性を確保するためには、かご本体１９の奥行き寸法の半分程度で、前後２列設けた茶碗類２３の置き場の後側の置き場の上方を覆い、前側の茶碗類置き場は覆わない寸法とすることが望ましい。
【００２１】
また、中棚２１の高さ方向の位置関係は、かご本体１９の後部から立設させた支持部２２の高さの中央より上側に位置させて、かご本体１９の後側の茶碗類置き場への茶碗類の載置を容易にしてある。
【００２２】
上記構成において動作、作用を説明する。食器かご１８に食器類９を配置して洗浄槽１６内に収容し、運転を開始すると、給水弁（図示せず）が開き、洗浄槽１６内に所定量給水された後、洗浄ポンプ６を駆動する。これにより洗浄ポンプ６で加圧された洗浄水が、洗浄ノズル７から食器かご１８内の食器類９に向けて噴射され、食器類９に付着した汚れを洗浄する。
【００２３】
従来の食器洗い機においては、狭い日本の台所事情を考慮して、最低限の庫内容積としていたため、形状の種類が非常に多い小鉢類２７専用の置き場を設けることは困難であった。しかしながら、日本の食卓において、小鉢類２７の使用頻度は高く、専用の置き場が求められていた。本発明による食器洗い機は、中棚２１を設けることで、食器かご１８の延べ床面積を広げることが可能となったため、小鉢類２７の置き場とすることが可能となっている。また、茶碗類２３は皿類２４や小物類２５に比べ、高さが低いので、中棚２１を、かご本体１９の皿類２４の置き場と小物類２５の置き場の上方は覆わずに避けて、茶碗類置き場の上方に設けると、洗浄槽内の空間を有効に利用することができる。
【００２４】
中棚２１はかご本体１９の後部から立設して設けた支持部２２に回動可能に軸支する構成としているため、中棚２１下方のかご本体１９に茶碗類２３を載置する場合においては、中棚２１を上方に回転させることにより、中棚２１が邪魔することなく、茶碗類２３を載置することができる。また、中棚２１を軸支部で横方向に移動可能とするとともに、かご本体１９の支持部２２には保持部２８が設けてあり、中棚２１を上方に回動した状態で左へ移動させた後、下方に回動すると、中棚２１は底部が保持部２８に引っ掛かり、下方へ降りることはなく、図４に示すように、回動の途中において静止可能とすることができる。
【００２５】
なお、中棚２１とかご本体１９の支持部２２との嵌合をきつくし、回動の摺動抵抗を増やしても、回動の途中で静止可能とすることができ、同様の効果がより簡易な構成にて実現できる。
【００２６】
また、図５に示すように、中棚２１の裏面には複数の突起２９を等間隔に設けてある。従来の技術における食器洗い機の食器かごにおいては、茶碗類置き場に皿類を載置した場合は、皿類の下部しか支えることができず、容易に傾斜または転倒してしまうため、皿類を洗浄するのに適した略正立状態に保持することは困難であったが、本発明によれば、図４に示すように、中棚２１の裏面に等間隔に設けた複数の突起２９で茶碗類置き場に載置された中皿類３０の上部を支えるようにしたので、転倒防止となり、容易に略正立状態に保持することができる。
【００２７】
なお、本実施の形態における中棚２１は、小鉢類２７の置き場３１と小皿類の置き場３２を設けてあり、より多くの食器類９を載置可能としている。
【００２８】
以上のように、本実施の形態においては、食器かご本体と中棚とを備えるとともに、かご本体の上方に中棚を、かご本体の後部に軸支して回動可能に一体に設けたので、洗浄槽内の空間をより有効に利用でき、より多くの食器類を一度に洗浄することができる。
【００２９】
また、かご本体の保持部に、回動途中の中棚を引掛けることにより、中棚を回動途中で静止可能としたので、中棚を設けても、中棚の下方に茶碗を載置する作業性を損なうことはない。
【００３０】
また、中棚の裏面に設けた複数の突起が皿類の転倒防止となるので、かご本体の茶碗類置き場に皿類を載置可能とし、より使い勝手の良い食器洗い機を実現することができる。
【産業上の利用可能性】
【００３１】
以上のように、本発明にかかる食器洗い機は、食器かごは、かご本体と中棚とを備え、前記中棚は、前記かご本体の上方かつ後部であって、かつ前記かご本体と一体に設けたので、より多くの食器類を洗浄可能でかつ使い勝手の良さが要望される一般家庭用の食器洗い機等として有用である。
【図面の簡単な説明】
【００３２】
【図１】本発明の実施の形態１の食器洗い機の断面図
【図２】同食器洗い機の正面図
【図３】同食器洗い機の中棚およびかご本体の要部斜視図
【図４】同食器洗い機の中棚を回動途中で静止させた状態を示す断面図
【図５】（ａ）同食器洗い機の中棚を示す平面図（ｂ）同食器洗い機の中棚を示す断面図
【図６】従来の食器洗い機の断面図
【符号の説明】
【００３３】
１６  洗浄槽
１８  食器かご
１９  かご本体
２１  中棚
２２  支持部
２８  保持部
２９  突起
【図１】
2005230401.tif 000003
【図２】
2005230401.tif 000004
【図３】
2005230401.tif 000005
【図４】
2005230401.tif 000006
【図５】
2005230401.tif 000007
【図６】
2005230401.tif 000008